【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、
勤怠管理の情報を示す勤怠情報を提供する勤怠情報提供装置へ前記送信先識別情報を出力する出力部と、
前記取得部で取得した送信先識別情報に基づいて入室してから退室するまでの経過時間を計時する計時部と、
該計時部で計時した経過時間を前記勤怠情報提供装置へ出力する時間出力部と、
前記計時部で計時した経過時間に応じて設定された勤怠情報を取得する情報取得部とを備え、
前記出力部は、前記情報取得部で取得した勤怠情報を前記受信先識別情報に係る携帯端末装置へ出力することを特徴とする勤怠情報出力装置。
【請求項２】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、
コンテンツを提供するコンテンツ提供装置へ前記送信先識別情報を出力する出力部と、
前記受信先識別情報をコンテンツ提供装置へ出力する情報出力部と、
前記受信先識別情報に対応付けられた氏名、前記受信先識別情報を取得した時間の履歴を示す履歴情報又は前記送信先識別情報に対応づけられた位置情報を前記コンテンツ提供装置から取得する情報取得部とを備え、
前記出力部は、該情報取得部で取得した履歴情報又は位置情報を前記携帯端末装置とは異なる他の携帯端末装置へ出力することを特徴とするコンテンツ出力装置。
【請求項３】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、
コンテンツを提供するコンテンツ提供装置へ前記送信先識別情報を出力する出力部と、
前記取得部で前記送信先識別情報を取得してから前記送信先識別情報の取得が終了するまでの経過時間を計時する計時部と、
該計時部で計時した経過時間を前記コンテンツ提供装置へ出力する時間出力部とを備え、
前記計時部で計時した経過時間に応じて課金される課金情報を取得する情報取得部と、
前記出力部は、前記情報取得部で取得した課金情報を前記受信先識別情報に係る携帯端末装置へ出力することを特徴とするコンテンツ出力装置。
【請求項４】
近距離通信に係る通信プロトコルを用いて情報を送信する送信装置を識別するための送信先識別情報及び該送信先識別情報を前記送信装置から受信した携帯端末装置を識別するための受信先識別情報を取得する取得部と、
コンテンツを提供するコンテンツ提供装置へ前記送信先識別情報を出力する出力部と、
前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得する設定情報取得部と、
該設定情報取得部で取得した言語設定情報及び各送信先識別情報に対応する地点に基づいて各地点における言語別の前記携帯端末装置の数を示す端末数を前記受信先識別情報に係る携帯端末装置へ出力する端末数出力部と
を備えることを特徴とするコンテンツ出力装置。
【請求項５】
近距離通信に係る通信プロトコルを用いて情報を送信する送信装置を識別するための送信先識別情報及び該送信先識別情報を受信した携帯端末装置を識別するための受信先識別情報を取得する取得部を備えるコンテンツ出力装置と、コンテンツを提供するコンテンツ提供装置とを備えるコンテンツ出力システムにおいて、
前記コンテンツ出力装置は、
前記取得部で前記送信先識別情報を取得してから前記送信先識別情報の取得が終了するまでの経過時間を計時する計時部と、
該計時部で計時した経過時間を前記コンテンツ提供装置へ出力する情報出力部とを備え、
前記コンテンツ提供装置は、
前記コンテンツ出力装置から出力された経過時間を取得する情報取得部と、
前記情報取得部で取得した経過時間が所定の時間を経過したか否かを判定する時間判定部と、
該時間判定部が前記情報取得部で取得した経過時間が所定の時間を経過したと判定した場合、広告が有効であったことを示す効果情報を出力する効果出力部と
を備えることを特徴とするコンテンツ出力システム。
【請求項６】
近距離通信に係る通信プロトコルを用いて情報を送信する送信装置を識別するための送信先識別情報及び該送信先識別情報を受信した携帯端末装置を識別するための受信先識別情報を前記送信装置から取得し、
勤怠管理の情報を示す勤怠情報を提供する勤怠情報提供装置へ前記送信先識別情報を出力し、
取得した送信先識別情報に基づいて入室してから退室するまでの経過時間を計時し、
計時した経過時間を前記勤怠情報提供装置へ出力し、
計時した経過時間に応じて設定された勤怠情報を取得し、
取得した勤怠情報を前記受信先識別情報に係る携帯端末装置へ出力する
処理を勤怠情報出力装置に実行させるプログラム。
【請求項７】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記受信先識別情報に対応付けられた氏名、前記受信先識別情報を取得した時間の履歴を示す履歴情報又は前記送信先識別情報に対応づけられた位置情報を前記コンテンツ提供装置から取得し、
取得した履歴情報又は位置情報を前記携帯端末装置とは異なる他の携帯端末装置へ出力する
処理をコンテンツ出力装置に実行させるプログラム。
【請求項８】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記送信先識別情報を取得してから前記送信先識別情報の取得が終了するまでの経過時間を計時し、
計時した経過時間を前記コンテンツ提供装置へ出力し、
計時した経過時間に応じて課金される課金情報を取得し、
取得した課金情報を前記受信先識別情報に係る携帯端末装置へ出力する
処理をコンテンツ出力装置に実行させるプログラム。
【請求項９】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、
取得した言語設定情報及び各送信先識別情報に対応する地点に基づいて各地点における言語別の前記携帯端末装置の数を示す端末数を前記受信先識別情報に係る携帯端末装置へ出力する
処理をコンテンツ出力装置に実行させるプログラム。
【請求項１０】
近距離通信に係る通信プロトコルを用いて情報を送信する送信装置を識別するための送信先識別情報及び該送信先識別情報を受信した携帯端末装置を識別するための受信先識別情報を前記送信装置から取得し、
勤怠管理の情報を示す勤怠情報を提供する勤怠情報提供装置へ前記送信先識別情報を出力し、
取得した送信先識別情報に基づいて入室してから退室するまでの経過時間を計時し、
計時した経過時間を前記勤怠情報提供装置へ出力し、
計時した経過時間に応じて設定された勤怠情報を取得し、
取得した勤怠情報を前記受信先識別情報に係る携帯端末装置へ出力する
処理を勤怠情報出力装置に実行させる勤怠情報出力方法。
【請求項１１】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記受信先識別情報に対応付けられた氏名、前記受信先識別情報を取得した時間の履歴を示す履歴情報又は前記送信先識別情報に対応づけられた位置情報を前記コンテンツ提供装置から取得し、
取得した履歴情報又は位置情報を前記携帯端末装置とは異なる他の携帯端末装置へ出力する
処理をコンテンツ出力装置に実行させるコンテンツ出力方法。
【請求項１２】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記送信先識別情報を取得してから送信先識別情報の取得が終了するまでの経過時間を計時し、
計時した経過時間を前記コンテンツ提供装置へ出力し、
計時した経過時間に応じて課金される課金情報を取得し、
取得した課金情報を前記受信先識別情報に係る携帯端末装置へ出力する
処理をコンテンツ出力装置に実行させるコンテンツ出力方法。
【請求項１３】
近距離通信に係る通信プロトコルを用いて情報を送信する送信装置を識別するための送信先識別情報及び該送信先識別情報を受信した携帯端末装置を識別するための受信先識別情報を前記送信装置から取得し、
コンテンツを提供するコンテンツ提供装置へ前記送信先識別情報を出力し、
前記受信先識別情報をコンテンツ提供装置へ出力し、
前記携帯端末装置が前記送信装置から近距離通信に係る通信プロトコルにより第１通信部を介して送信先識別情報を受信した後に、前記携帯端末装置自身に設定された言語設定情報が前記第１通信部とは異なる通信プロトコルを用いる第２通信部を介して出力された場合に、該言語設定情報を取得し、
取得した言語設定情報及び各送信先識別情報に対応する地点に基づいて各地点における言語別の前記携帯端末装置の数を示す端末数を前記受信先識別情報に係る携帯端末装置へ出力する
処理をコンテンツ出力装置に実行させるコンテンツ出力方法。